(57)【要約】【課題】  従来技術として、間仕切り板を補強フレームや連結ベルトで組み立てており、補強フレームは一体成型してなるもので金型費用等、コストが掛かる。また、連結ベルトは、通すために孔を開けなくてはならず、専用の間仕切り板が必要となり、不便であり、かつコスト高になる。さらに、パネルを組立させる各種専用の接続板や器具が必要であり、製造するには専用の金型が必要であり、これもまたコスト高になるものである。【解決手段】  災害時における緊急用の段ボールにより組み立てられる間仕切りを連結して組み立てるもので、長方形状のシート板に、折り目を設け、上方に外側固定面を、中央左右に前記外側固定面に連設し、一定の隙間を設けて独立した端当接面を、下方に前記端当接面に連設した内側固定面を設けてなることを特徴とする。【選択図】図１
2018168686.tif 000002
【特許請求の範囲】
【請求項１】
災害時における緊急用の段ボールにより組み立てられる間仕切りを連結して組み立てるもので、長方形状のシート板に、折り目を設け、上方に外側固定面を、中央左右に前記外側固定面に連設し、一定の隙間を設けて独立した端当接面を、下方に前記端当接面に連設した内側固定面を設けてなることを特徴とする災害時緊急用組立段ボール連結具。
【請求項２】
少なくとも外側固定面の両側に、係止片を連設したことを特徴とする請求項１記載の災害時緊急用組立段ボール連結具。
【請求項３】
前記外側固定面の中央に、中央折り目を設けてなることを特徴とする請求項１又は２記載の災害時緊急用組立段ボール連結具。
【請求項４】
Ｌ字形状のシート板に折り目を設け、下辺に第１端当接面を、立辺に第２端当接面をＬ字形に形成し、前記第１端当接面下方に第１外側固定面を、前記第２端当接面外側に第２外側固定面を連設すると共に、第１端当接面上方に第１内側固定面を、前記第２端当接面内側に第２内側固定面をそれぞれ一定の隙間を設けて連設してなることを特徴とする災害時緊急用組立段ボール連結具。
【請求項５】
少なくとも前記第１外側固定面と前記第２外側固定面の外側端に、係止片を連設してなることを特徴とする請求項４記載の災害時緊急用組立段ボール連結具。
【請求項６】
前記シート板の裏側に、固着部を設けてなることを特徴とする請求項１、２、３、４又は５記載の災害時緊急用組立段ボール連結具。
【発明の詳細な説明】
【技術分野】
【０００１】  本発明は、災害時における避難場所に設置する間仕切りとしての災害時緊急用組立段ボール連結具に関するものである。
【背景技術】
【０００２】  従来の技術として、間仕切り板の側辺に連結小孔を設け、相互に隣接する複数枚の間仕切り板の対応する連結小孔に連結ベルトを刺し通し、それぞれを連結させる。連結部分やコーナ部分などの要所には、間仕切り板の上下辺に補強フレームを嵌入させ、その組立構造を補強する。その際、出入り口部分には、簡易なロック機構を備えた開閉扉が形成された出入り口用間仕切り材を用いるものがある。（特許文献１参照）【０００３】  また、別の従来技術として、防炎、防火加工済みの段ボール、軽量プラスチック素材のパネルにネジ、ボルトが不要な差し込み式の接続板、器具を取り付け簡単に短時間に組み立てられるようにした。必要に応じ接続ピンの使用も可能。使用後は再生用の資源ゴミとして廃棄できるものがある。（特許文献２参照）
【先行技術文献】
【特許文献】
【０００４】
【特許文献１】特開２００７−１１３３６６号公報
【特許文献２】実用新案登録第３１０８５９２号公報
【発明の概要】
【発明が解決しようとする課題】
【０００５】  上記前者の従来技術は、間仕切り板を補強フレームや連結ベルトで組み立てており、補強フレームは一体成型してなるもので金型費用等、コストが掛かる。
また、連結ベルトは、通すために孔を開けなくてはならず、専用の間仕切り板が必要となり、不便であり、かつコスト高になる。【０００６】  上記後者の従来技術は、パネルを組立させる各種専用の接続板や器具が必要であり、製造するには専用の金型が必要であり、これもまたコスト高になるものである。【０００７】  本発明は、このような従来の構成が有していた問題を解決しようとするもので、災害時緊急用組立段ボール連結具をシート板に折り目を設けた形態にすることにより、輸送もかさばらず、現場で簡単に折り曲げて加工でき、子供でも組み立てられる災害時緊急用組立段ボール連結具を提供することを目的とする。
【課題を解決するための手段】
【０００８】  本発明は上記目的を達成するために、災害時における緊急用の段ボールにより組み立てられる間仕切りを連結して組み立てるもので、長方形状のシート板に、折り目を設け、上方に外側固定面を、中央左右に前記外側固定面に連設し、一定の隙間を設けて独立した端当接面を、下方に前記端当接面に連設した内側固定面を設けてなること。少なくとも外側固定面の両側に、係止片を連設したこと。前記外側固定面の中央に、中央折り目を設けてなること。Ｌ字形状のシート板に折り目を設け、下辺に第１端当接面を、立辺に第２端当接面をＬ字形に形成し、前記第１端当接面下方に第１外側固定面を、前記第２端当接面外側に第２外側固定面を連設すると共に、第１端当接面上方に第１内側固定面を、前記第２端当接面内側に第２内側固定面をそれぞれ一定の隙間を設けて連設してなること。少なくとも前記第１外側固定面と前記第２外側固定面の外側端に、係止片を連設してなること。前記シート板の裏側に、固着部を設けてなることを特徴とする。
【発明の効果】
【０００９】１、災害時緊急用組立段ボール連結具において、長方形状のシート板に折り目を設け、上  方に外側固定面を、中央左右に端当接面を、下方に内側固定面をそれぞれ連結して設け  ることにより、誰でも簡単に現場にて加工して段ボールによる間仕切り等を短時間に設  置できる。
また、コーナー部の上端や下端及び側面・Ｔ字部等、オールマイティに使用できる。
２、外側固定面の中央に、中央折り目を設けることにより、より一層組み立てやすい。
３、災害時緊急用組立段ボール連結具において、Ｌ字形状のシート板に折り目を設けるこ  とにより、特にコーナー部の取付時に補強ができ、かつ、Ｔ字部にも取付・補強ができ  るものである。
４、係止片を設けることにより、段ボールに入れたスリット部に差し込んで組み立てする  ことにより、より一層補強効果を有するものである。
５、固着部として、両面テープを設けることにより、簡単・確実に組み立てることができ  る。
【図面の簡単な説明】
【００１０】
【図１】  本発明の第１実施例を示す災害時緊急用組立段ボール連結具の平面図。
【図２】  本発明の第１実施例を示す災害時緊急用組立段ボール連結具の組立図。
【図３】  本発明の第１実施例を示す災害時緊急用組立段ボール連結具の間仕切り直線部連結状態図。
【図４】  本発明の第１実施例を示す災害時緊急用組立段ボール連結具の間仕切りコーナー部連結状態図。
【図５】  本発明の第１実施例を示す災害時緊急用組立段ボール連結具の間仕切りＴ字部（突当部）連結状態図。
【図６】  本発明の第１実施例を示す災害時緊急用組立段ボール連結具の間仕切り側面部連結状態図。
【図７】  本発明の第２実施例を示す災害時緊急用組立段ボール連結具の平面図。
【図８】  本発明の第２実施例を示す災害時緊急用組立段ボール連結具の組立図。
【図９】  本発明の第２実施例を示す災害時緊急用組立段ボール連結具の間仕切りコーナー部連結状態図。
【図１０】  本発明の第２実施例を示す災害時緊急用組立段ボール連結具の間仕切りＴ字部（突当部）連結状態図。
【図１１】  本発明の第３実施例を示す災害時緊急用組立段ボール連結具の平面図。
【図１２】  本発明の第３実施例を示す災害時緊急用組立段ボール連結具の間仕切り直線部連結状態図。
【図１３】  本発明の第４実施例を示す災害時緊急用組立段ボール連結具の平面図。
【図１４】  本発明の第４実施例を示す災害時緊急用組立段ボール連結具の間仕切りコーナー部連結状態図。
【図１５】  本発明の第４実施例を示す災害時緊急用組立段ボール連結具の間仕切りＴ字部（突当部）連結状態図。
【発明を実施するための形態】
【００１１】  災害時緊急用組立段ボール連結具１は、長方形状のシート板２に、折り目３ａ・３ｂ・３ｃ・３ｄを設け、上方に外側固定面４を、中央左右に外側固定面４に連設し、一定の隙間Ｓを設けて独立した端当接面５・５を、下方に端当接面５・５に連設した内側固定面６・６を設けてなるものである。
なお、シート板２の適所に両面テープによる固着部（図示せず）を設けてある。
また、外側固定面４の中央に中央折り目３ｅを設けるのも一考である。（図１参照）
【００１２】  上記災害時緊急用組立段ボール連結具１は、各折り目３ａ・３ｂ・３ｃ・３ｄを内側に折り曲げ成形する。（図２参照）
次に、災害時における避難場所に設置する間仕切り直線部ＭＴに対して、まず、外側から間仕切り直線部ＭＴの接合部ＭＴ１に、両面テープ（図示せず）を剥し、外側固定面４を貼り付ける。
その後、端当接面５・５を上面に当接（両面テープで貼り付けてもよい）し、最後に、両面テープを剥した内側固定面６・６を貼り付けて固定することができる。（図３参照）
【００１３】  また、災害時緊急用組立段ボール連結具１は、中央折り目３ｅを内側に折り曲げて取り付けるもので、間仕切りコーナー部ＭＫに対して、外側から順次外側固定面４を、端当接面５・５を、内側固定面６・６を折り曲げ、貼り付けて取り付けるものである。（図４参照）
【００１４】  さらに、災害時緊急用組立段ボール連結具１は、間仕切りＴ字部（突当部）ＭＡに対して、中央折り目３ｅを外側に折り曲げて取り付けるもので、間仕切りＴ字部（突当部）ＭＡの一方の内側側面に外側固定面４を貼り付け、端当接面５・５を内側固定面６・６に貼り付けて固定する。
つづいて、他方の内側側面に、上記と同様な手順で別の災害時緊急用組立段ボール連結具１を貼り付けて強固に固定するものである。（図５参照）
【００１５】  災害時緊急用組立段ボール連結具１を、間仕切りＭの外側や内側等の側面の平面に災害時緊急用組立段ボール連結具１を折り曲げない状態で、必要個数貼り付けると共に、角部Ｋには中央折り目３ｅを折り曲げて貼り付けるものである。（図６参照）
【００１６】  次に、災害時緊急用組立段ボール連結具２１について説明する。
災害時緊急用組立段ボール連結具２１は、Ｌ字形状のシート板に、折り目２３ａ・２３ｂ・２３ｃ・２３ｄを設け、下辺に第１端当接面２５ａ、立辺に第２端当接面２５ｂをＬ字形に形成し、第１端当接面２５ａ下方に第１外側固定面２４ａを、第２端当接面２５ｂの外側に、第２外側固定面２４ｂを連設すると共に、第１端当接面２５ａの上方に第１内側固定面２６ａを、第２端当接面２５ｂ内側に、第２内側固定面２６ｂをそれぞれ連設してなるものである。（図７参照）
【００１７】  上記災害時緊急用組立段ボール連結具２１は、各折り目２３ａ・２３ｂ・２３ｃ・２３ｄを内側に折り曲げ成形する。（図８参照）
間仕切りコーナー部ＭＫ１の外側に対して、まず、第１端当接面２５ａと第２端当接面２５ｂをコーナー部ＭＫ１の上面ＺＭに当接し、外側固定面２４ａを両面テープ（図示せず）にて貼り付け、次に、第２外側固定面２４ｂを貼り付ける。
その後、第１内側固定面２６ａ、第２内側固定面２６ｂを順次貼り付けて固定するものである。（図９参照）
【００１８】  また、災害時緊急用組立段ボール連結具２１は、間仕切りＴ字部（突当部）ＭＡ１に対しても取り付けられるもので、上記と同様な取付手順で災害時緊急用組立段ボール連結具２１を２つ使用し、対称的に重合させて固定するものである。（図１０参照）
【００１９】  つづいて、災害時緊急用組立段ボール連結具３１について説明する。
災害時緊急用組立段ボール連結具３１は、上記災害時緊急用組立段ボール連結具１の外側固定面４（３４）の両側端部に、係止片７を連設すると共に、内側固定面６・６（３６・３６）の両側端部に、同様な係止片８・８を連設してある。（図１１参照）
【００２０】  災害時緊急用組立段ボール連結具３１の使用例について説明する。
まず、間仕切り直線部ＭＴＡの接合部ＭＴＡ１の上面左右同位置にスリット部ＳＢを形設したものを使用し、このスリット部ＳＢに重合する係止片７・８を差し込むことにより、より一層強固に固定できるものである。（図１２参照）
【００２１】  最後に、災害時緊急用組立段ボール連結具４１について説明する。
災害時緊急用組立段ボール連結具４１は、上記災害時緊急用組立段ボール連結具２１の第１外側固定面２４ａ（４４ａ）の端部に係止片９ａを、第２外側固定面２４ｂ（４４ｂ）の端部に係止片９ｂをそれぞれ連設すると共に、第１内側固定面２６ａ（４６ａ）の端部に係止片１０ａを、第２内側固定面２６ｂ（４６ｂ）の端部に係止片１０ｂをそれぞれ連設してなるものである。（図１３参照）
【００２２】  災害時緊急用組立段ボール連結具４１の使用例について説明する。
まず、間仕切りコーナー部ＭＫＡ１に対して、上面コーナー部同位置にスリット部ＳＢ１を形設したものを使用し、このスリット部ＳＢ１に重合する係止片９ａ・１０ａを差し込むことにより、より一層強固に固定できるものである。（図１４参照）
【００２３】  また、別の使用例とし、間仕切りＴ字部（突当部）ＭＫＡ２に対して取り付けるもので、スリット部ＳＢ２―――を形設したものを使用し、このスリット部ＳＢ２―――に重合する係止片９ａ・１０ａを差し込むことにより、より一層強固に固定できるものである。（図１５参照）
【００２４】  上記各実施例において、材質は特に限定するものではないが、ポリプロピレン等が適当である。
また、大きさや厚さ（例えば、０．３ｍｍ）についても、必要に応じて決めればよい。
さらに、固着部についても両面テープ以外のものでもよく、取付手順も特に限定しない。
さらにまた、間仕切りの材質についても段ボールやその他同様なものであればよく、上記以外の色々な箇所に取り付けれらるものである。
【産業上の利用の可能性】
【００２５】  災害時等において、一般に市販されている段ボールを使用することができ、利用の可能性は高く、予め災害時緊急用組立段ボール連結具を準備しておけば、いつでも簡単・確実に組み立てられるものである。
【符号の説明】
【００２６】  １―――災害時緊急用組立段ボール連結具
２―――シート板
３―――折り目
４―――外側固定面
５―――端当接面
６―――内側固定面
７―――係止片
８―――係止片
ＭＴ――間仕切り直線部
ＭＡ――間仕切りＴ字部
【図１】
2018168686.tif 000003
【図２】
2018168686.tif 000004
【図３】
2018168686.tif 000005
【図４】
2018168686.tif 000006
【図５】
2018168686.tif 000007
【図６】
2018168686.tif 000008
【図７】
2018168686.tif 000009
【図８】
2018168686.tif 000010
【図９】
2018168686.tif 000011
【図１０】
2018168686.tif 000012
【図１１】
2018168686.tif 000013
【図１２】
2018168686.tif 000014
【図１３】
2018168686.tif 000015
【図１４】
2018168686.tif 000016
【図１５】
2018168686.tif 000017